(57)【要約】配線情報作成システムは、上位ネットワーク及び下位ネットワークの間の光信号の伝送路を、物理ポートの組み合わせの単位で切り替える切替装置と、選択された物理ポートを通るように伝送路を切り替える指示を切替装置に出力する切替制御装置と、上位ネットワーク及び下位ネットワークの間の通信を中継する中位通信装置の通信ポートと選択された物理ポートとが接続されたか否かを判定し、選択された物理ポートに接続された通信ポートの番号を中位通信装置から取得する接続制御装置と、選択された物理ポートに接続された通信ポートを表す接続情報を作成し、接続情報を切替装置の物理ポートごとに表す配線情報を更新する情報作成装置とを備える。
2020217300.tif 000002
【特許請求の範囲】
【請求項１】
上位ネットワーク及び下位ネットワークの間の光信号の伝送路を、物理ポートの組み合わせの単位で切り替える切替装置と、
選択された前記物理ポートを通るように前記伝送路を切り替える指示を前記切替装置に出力する切替制御装置と、
前記上位ネットワーク及び前記下位ネットワークの間の通信を中継する中位通信装置の通信ポートと選択された前記物理ポートとが接続されたか否かを判定し、選択された前記物理ポートに接続された前記通信ポートの番号を前記中位通信装置から取得する接続制御装置と、
選択された前記物理ポートに接続された前記通信ポートを表す接続情報を作成し、接続情報を前記切替装置の前記物理ポートごとに表す配線情報を更新する情報作成装置と
を備える配線情報作成システム。
【請求項２】
前記接続制御装置は、前記中位通信装置の前記通信ポートと選択された前記物理ポートとが接続されたか否かを、選択された前記物理ポートの前記伝送路における光信号の光強度の測定結果に基づいて判定する、
請求項１に記載の配線情報作成システム。
【請求項３】
前記接続制御装置は、ＬＬＤＰ（Link Layer Discovery Protocol）又はループバックに基づく通信を実行することによって、前記通信ポートの番号を前記中位通信装置から取得する、
請求項１又は請求項２に記載の配線情報作成システム。
【請求項４】
前記接続制御装置は、選択された前記物理ポートに接続された光トランシーバの通信規格の情報を取得し、
前記情報作成装置は、取得された光トランシーバの通信規格の情報に基づいて、前記中位通信装置の前記通信ポートの通信規格を前記切替装置の前記物理ポートごとに更に表す接続情報を作成し、接続情報を前記切替装置の前記物理ポートごとに表す配線情報を更新する、
請求項１から請求項３のいずれか一項に記載の配線情報作成システム。
【請求項５】
前記情報作成装置は、前記中位通信装置の前記通信ポートのリンクダウンが検出された場合、リンクダウンが検出された前記通信ポートの接続情報に、エラー情報を含める、
請求項１から請求項４のいずれか一項に記載の配線情報作成システム。
【請求項６】
前記情報作成装置は、リンクダウンしていた前記通信ポートのリンクアップが検出された場合、リンクアップが検出された前記通信ポートの接続情報を新たに作成し、リンクダウンしていた前記通信ポートの接続情報と新たに作成された接続情報とが同じである場合、リンクダウンが検出された前記通信ポートの接続情報のエラー情報を消去又は上書きする、
請求項５に記載の配線情報作成システム。
【請求項７】
前記情報作成装置は、リンクダウンしていた前記通信ポートのリンクアップが検出された場合、リンクアップが検出された前記通信ポートの接続情報を新たに作成し、リンクダウンしていた前記通信ポートの接続情報と新たに作成された接続情報とが異なっている場合、新たに作成された接続情報に基づいて配線情報を更新する、
請求項５に記載の配線情報作成システム。
【請求項８】
上位ネットワーク及び下位ネットワークの間における、光信号の強度の増加と光信号の強度の減少とのうちの少なくとも一方を検出する強度検出装置を更に備え、
前記接続制御装置は、光信号の強度の増加が検出された前記物理ポートに接続された前記中位通信装置の前記通信ポートの番号を取得する、
請求項１から請求項７のいずれか一項に記載の配線情報作成システム。
【請求項９】
前記情報作成装置は、前記切替装置の前記物理ポートを定期的に選択する、
請求項１から請求項８のいずれか一項に記載の配線情報作成システム。
【請求項１０】
配線情報作成システムが実行する配線情報作成方法であって、
上位ネットワーク及び下位ネットワークの間の光信号の伝送路を物理ポートの組み合わせの単位で切り替える切替装置に、選択された前記物理ポートを通るように前記伝送路を切り替える指示を出力する切替制御ステップと、
前記上位ネットワーク及び前記下位ネットワークの間の通信を中継する中位通信装置の通信ポートと選択された前記物理ポートとが接続されたか否かを判定し、選択された前記物理ポートに接続された前記通信ポートの番号を前記中位通信装置から取得する接続制御ステップと、
選択された前記物理ポートに接続された前記通信ポートを表す接続情報を作成し、接続情報を前記切替装置の前記物理ポートごとに表す配線情報を更新する情報作成ステップと
を含む配線情報作成方法。
【発明の詳細な説明】
【技術分野】
【０００１】
本発明は、配線情報作成システム及び配線情報作成方法に関する。
【背景技術】
【０００２】
光通信ネットワークは、通信を行う通信ポート、パッケージ及び装置が故障した場合、又は、パッケージ及び装置が更新又は交換される場合に備えて、通信ポート、パッケージ及び装置の冗長化が施されている。故障が発生したり、装置が更新又は交換されたりする場合、光通信ネットワークは、通信プロトコルや通信制御方式を用いて、通信に利用する通信ポート、パッケージ及び装置を切り替えて、通信を継続させる。冗長化及び通信制御方式の具体的な例として、以下のものがある。レイヤ２プロトコルでは、経路冗長−装置冗長−パッケージ冗長方式として、リンクアグリゲーションが広く普及している。装置冗長−装置冗長方式として、スパニングツリープロトコルが広く普及している。【０００３】
上記のような冗長化が普及している一方で、光通信ネットワークを利用するユーザ側に設置される装置と、それらの装置を収容する収容装置とを接続するアクセス区間では冗長化が施されていない場合が多い。アクセス区間では、冗長化の対象となる通信ポート、パッケージ及び装置の数がとても多く、冗長化のコストが高くなるためである。冗長化が施されていないアクセス区間では、故障が発生したり、パッケージ及び装置が更新又は交換されたりする場合、技術者が現地に赴いて故障、更新又は交換の対応を行っている。【０００４】
冗長化が施されてない光通信ネットワークでは、技術者が現地に赴いて故障、更新又は交換の対応を行う必要があるため、通信システムの運用に要するコストが増加する要因の一つとなっている。また、技術者が現地で故障、更新又は交換の対応が完了するまで、通信断が継続するため、ユーザの利便性が低下する要因の一つとなっている。
【先行技術文献】
【非特許文献】
【０００５】
【非特許文献１】「技術基礎講座［ＧＥ−ＰＯＮ］第１回ＰＯＮとは」、日本電信電話株式会社、ＮＴＴ技術ジャーナル、２００５年８月、ｐｐ．７１−７４
【発明の概要】
【発明が解決しようとする課題】
【０００６】
データセンタ等の通信局舎内で、技術者が通信装置の間の配線を手作業で行うことがある。通信局舎に赴いた技術者は、通信装置の特定の通信ポートとＲＰＰ（Robot Patch Panel）等の切替装置の物理ポートとを、光ファイバ又は通信ケーブルを用いて、指示書に基づいて正しく配線しなければならない。この場合、ヒューマンエラーが発生し得るというリスクがある。仮に、現地の技術者が配線を間違えてしまった場合、再度の配線が必要となる。【０００７】
そこで、通信局舎に技術者が赴くことなく、通信装置の間の配線をオペレータが遠隔から行うことが求められている。オペレータは、通信装置に予め接続された切替装置の内部の配線を、遠隔から操作することによって切り替える。【０００８】
この場合、切替装置の物理ポートと通信装置の通信ポートとの物理的な配線の情報を、オペレータは事前に知らなければならない。このためには、通信局舎に赴いた技術者が、切替装置の物理ポートと通信装置の通信ポートとの物理的な配線の情報を、通信局舎内での配線作業の内容に基づいて正しく作成する必要がある。ここで、技術者の負担軽減とヒューマンエラーの発生防止との観点とから、切替装置の物理ポートと通信装置の通信ポートとの物理的な配線の情報を、技術者の代わりにシステムが作成することが望ましい。しかしながら、従来のシステムは、切替装置の物理ポートと通信装置の通信ポートとの物理的な配線の情報を作成することができなかった。【０００９】
上記事情に鑑み、本発明は、切替装置の物理ポートと通信装置の通信ポートとの物理的な配線の情報を作成することが可能である配線情報作成システム及び配線情報作成方法を提供することを目的としている。
【課題を解決するための手段】
【００１０】
本発明の一態様は、上位ネットワーク及び下位ネットワークの間の光信号の伝送路を、物理ポートの組み合わせの単位で切り替える切替装置と、選択された前記物理ポートを通るように前記伝送路を切り替える指示を前記切替装置に出力する切替制御装置と、前記上位ネットワーク及び前記下位ネットワークの間の通信を中継する中位通信装置の通信ポートと選択された前記物理ポートとが接続されたか否かを判定し、選択された前記物理ポートに接続された前記通信ポートの番号を前記中位通信装置から取得する接続制御装置と、選択された前記物理ポートに接続された前記通信ポートを表す接続情報を作成し、接続情報を前記切替装置の前記物理ポートごとに表す配線情報を更新する情報作成装置とを備える配線情報作成システムである。【００１１】
本発明の一態様は、上記の配線情報作成システムであって、前記接続制御装置は、前記中位通信装置の前記通信ポートと選択された前記物理ポートとが接続されたか否かを、選択された前記物理ポートの前記伝送路における光信号の光強度の測定結果に基づいて判定する。【００１２】
本発明の一態様は、上記の配線情報作成システムであって、前記接続制御装置は、ＬＬＤＰ（Link Layer Discovery Protocol）又はループバックに基づく通信を実行することによって、前記通信ポートの番号を前記中位通信装置から取得する。【００１３】
本発明の一態様は、上記の配線情報作成システムであって、接続制御装置は、選択された前記物理ポートに接続された光トランシーバの通信規格の情報を取得し、前記情報作成装置は、取得された光トランシーバの通信規格の情報に基づいて、前記中位通信装置の前記通信ポートの通信規格を前記切替装置の前記物理ポートごとに更に表す接続情報を作成し、接続情報を前記切替装置の前記物理ポートごとに表す配線情報を更新する。【００１４】
本発明の一態様は、上記の配線情報作成システムであって、前記情報作成装置は、前記中位通信装置の前記通信ポートのリンクダウンが検出された場合、リンクダウンが検出された前記通信ポートの接続情報に、エラー情報を含める。【００１５】
本発明の一態様は、上記の配線情報作成システムであって、前記情報作成装置は、リンクダウンしていた前記通信ポートのリンクアップが検出された場合、リンクアップが検出された前記通信ポートの接続情報を新たに作成し、リンクダウンしていた前記通信ポートの接続情報と新たに作成された接続情報とが同じである場合、リンクダウンが検出された前記通信ポートの接続情報のエラー情報を消去又は上書きする。【００１６】
本発明の一態様は、上記の配線情報作成システムであって、前記情報作成装置は、リンクダウンしていた前記通信ポートのリンクアップが検出された場合、リンクアップが検出された前記通信ポートの接続情報を新たに作成し、リンクダウンしていた前記通信ポートの接続情報と新たに作成された接続情報とが異なっている場合、新たに作成された接続情報に基づいて配線情報を更新する。【００１７】
本発明の一態様は、上記の配線情報作成システムであって、上位ネットワーク及び下位ネットワークの間における、光信号の強度の増加と光信号の強度の減少とのうちの少なくとも一方を検出する強度検出装置を更に備え、前記接続制御装置は、光信号の強度の増加が検出された前記物理ポートに接続された前記中位通信装置の前記通信ポートの番号を取得する。【００１８】
本発明の一態様は、上記の配線情報作成システムであって、前記情報作成装置は、前記切替装置の前記物理ポートを定期的に選択する。【００１９】
本発明の一態様は、配線情報作成システムが実行する配線情報作成方法であって、上位ネットワーク及び下位ネットワークの間の光信号の伝送路を物理ポートの組み合わせの単位で切り替える切替装置に、選択された前記物理ポートを通るように前記伝送路を切り替える指示を出力する切替制御ステップと、前記上位ネットワーク及び前記下位ネットワークの間の通信を中継する中位通信装置の通信ポートと選択された前記物理ポートとが接続されたか否かを判定し、選択された前記物理ポートに接続された前記通信ポートの番号を前記中位通信装置から取得する接続制御ステップと、選択された前記物理ポートに接続された前記通信ポートを表す接続情報を作成し、接続情報を前記切替装置の前記物理ポートごとに表す配線情報を更新する情報作成ステップとを含む配線情報作成方法である。
【発明の効果】
【００２０】
本発明により、切替装置の物理ポートと通信装置の通信ポートとの物理的な配線の情報を作成することが可能である。
【図面の簡単な説明】
【００２１】
【図１】光通信ネットワークの構成例を示す図である。
【図２】上位通信装置、中位通信装置及び下位通信装置それぞれと、切替装置との接続例を示す図である。
【図３】切替制御装置の構成例を示すブロック図である。
【図４】切替装置配線情報の一例を示す図である。
【図５】割当管理部の構成例を示すブロック図である。
【図６】割当情報の一例を示す図である。
【図７】物理配線管理部の構成例を示すブロック図である。
【図８】物理配線情報の一例を示す図である。
【図９】第１実施形態における、配線情報作成システムの構成例を示す図である。
【図１０】第１実施形態における、物理配線情報の例を示す図である。
【図１１】第１実施形態における、配線情報作成システムの動作例を示すフローチャートである。
【図１２】第１実施形態における、配線情報作成システムの動作例を示すシーケンス図である。
【図１３】第２実施形態における、配線情報作成システムの構成例を示す図である。
【図１４】第２実施形態における、物理配線情報の例を示す図である。
【図１５】第２実施形態における、配線情報作成システムの動作例を示すフローチャートである。
【図１６】第２実施形態における、配線情報作成システムの動作例を示すシーケンス図である。
【図１７】第３実施形態における、配線情報作成システムの構成例を示す図である。
【発明を実施するための形態】
【００２２】
以下、図面を参照して、本発明の実施形態における配線情報作成システム及び配線情報作成方法を説明する。なお、以下の実施形態では、同一の符号を付した構成要素は同様の動作を行うものとして、重複する説明を適宜省略する。
【００２３】
図１は、光通信ネットワーク１００の構成例を示す図である。光通信ネットワーク１００は、上位ネットワーク１、通信システム１１０及び下位ネットワーク４を備える。通信システム１１０は、上位ネットワーク１と下位ネットワーク４との間の通信で使用される光信号を中継する。通信システム１１０は、上位ネットワーク１と下位ネットワーク４との間の通信に対する冗長化と、光通信ネットワーク１００の運用コストの低減とを可能にする。
【００２４】
例えば、上位ネットワーク１がバックボーンネットワークに接続するネットワークであり、下位ネットワーク４がユーザ側のネットワークである場合、通信システム１１０は、ユーザ側のネットワークとの通信回線を収容する通信局舎に備えられ、バックボーンネットワークとユーザ側のネットワークとの間の通信を中継する。また、上位ネットワーク１が移動体通信システムのベースバンドユニット（ＢＢＵ）及びバックホール（Backhaul）と接続するネットワークであり、下位ネットワーク４が複数のアンテナ装置（ＲＲＨ）を含むネットワークである場合、通信システム１１０は、各ＲＲＨとＢＢＵとの間の通信回線を収容する通信局舎に備えられ、ＢＢＵとＲＲＨとの間の通信を中継する。以下、実施形態では、通信システム１１０が、バックボーンネットワークとユーザ側のネットワークとの間の通信を中継する場合について説明するが、通信システム１１０の適用対象はこれに限定されない。
【００２５】
上位ネットワーク１は、バックボーンネットワーク又は他の光通信ネットワークと接続する通信回線１２と、通信回線１２に接続されたＭ個の上位通信装置１１（１１−１，…，１１−Ｍ）を備える。上位通信装置１１は、複数の１個の通信ポート１１１、複数の通信ポート１１２、及び設定ポート１１３を備える。通信ポート１１２は、通信回線１２と接続される。通信ポート１１１は、通信システム１１０と接続される。設定ポート１１３は、通信システム１１０と接続され、装置設定情報を受け付ける。設定ポート１１３に供給される装置設定情報は、通信ポート１１２と通信ポート１１１との間における光信号の中継と信号処理とに関する上位通信装置１１の動作を定義する。上位通信装置１１は、装置設定情報に基づいて、通信回線１２と通信システム１１０との通信を中継する。上位通信装置１１が備える通信ポート１１１及び通信ポート１１２の数は１個であってもよい。
【００２６】
下位ネットワーク４は、ユーザ側の装置に接続されるＰ個の下位通信装置４１（４１−１，…，４１−Ｐ）を備える。下位通信装置４１は、複数の通信ポート４１１、複数の通信ポート４１２、及び設定ポート４１３を備える。通信ポート４１２は、通信システム１１０と接続される。通信ポート４１１は、ユーザ側の装置と接続される。設定ポート４１３は、通信システム１１０と接続され、装置設定情報を受け付ける。設定ポート４１３に供給される装置設定情報は、通信ポート４１２と通信ポート４１１との間における光信号の中継と信号処理とに関する下位通信装置４１の動作を定義する。下位通信装置４１は、装置設定情報に基づいて、通信システム１１０とユーザ側の装置との通信を中継する。下位通信装置４１が備える通信ポート４１１及び通信ポート４１２の数は１個であってもよい。
【００２７】
Ｍ及びＰは、上位通信装置１１及び下位通信装置４１の数それぞれを表し、１以上の整数である。図１に示す構成例では、上位通信装置１１及び下位通信装置４１の数が２個以上の場合を示しているが、上位通信装置１１及び下位通信装置４１の数の一方又は両方が１個であってもよい。
【００２８】
通信システム１１０は、Ｎ個の中位通信装置２（２−２，…，２−Ｎ）、切替装置３、切替制御装置５、通信制御装置６、ネットワーク管理装置７、上位制御装置８及び端末装置９を備える。中位通信装置２は、上位ネットワーク１との通信に用いられる少なくとも一つの通信ポート２２と、下位ネットワーク４との通信に用いられる少なくとも一つの通信ポート２１と、装置設定情報を入力する設定ポート２３とを備える。装置設定情報は、通信ポート２２と通信ポート２１との間における光信号の中継に関する中位通信装置２の動作を定義する。通信ポート２２は、中位通信装置２の上位ポートともいう。また、通信ポート２１は、中位通信装置２の下位ポートともいう。
【００２９】
中位通信装置２は、通信制御装置６から設定ポート２３に供給される装置設定情報に基づいて、通信ポート２２から入力される光信号をいずれかの通信ポート２１から出力する。通信ポート２２から入力される光信号は、１個の通信ポート２１から出力されてもよいし、複数の通信ポート２１から出力されてもよい。例えば、光信号が波長分割多重された複数の波長の信号を含む場合、装置設定情報において波長ごとに定められた出力先に基づいて、光信号から分離された各波長の信号を複数の通信ポート２１へ出力してもよい。また、中位通信装置２は、装置設定情報に応じて、通信ポート２１から入力される光信号をいずれかの通信ポート２２から出力する。例えば、上位ネットワーク１との通信に波長分割多重された光信号が用いられる場合、中位通信装置２は、通信ポート２１から入力される光信号のうち波長の異なる光信号を合成し、合成により得られる１個の光信号を通信ポート２２から出力する。通信ポート２１及び通信ポート２２から入力される光信号に対する信号処理は、上記の例に限定されない。
【００３０】
複数の中位通信装置２のうち少なくとも一つは、他の中位通信装置２が故障した場合、又は他の中位通信装置２の通信ポート２１、２２が故障した場合に備えて、上位ネットワーク１と下位ネットワーク４との通信を中継していない通信ポート２１、２２を有する。また、複数の中位通信装置２のうち少なくとも一つにおいて、全ての通信ポート２１、２２が上位ネットワーク１と下位ネットワーク４との通信を中継せずともよい。このような中位通信装置２は、他の中位通信装置２の故障、更新、又は交換に備えて設けられた予備装置である。通信システム１１０は、予備装置としての１台以上の中位通信装置２を備えてもよい。
【００３１】
切替装置３は、複数の物理ポート３１と、制御ポート３２とを備える。各物理ポート３１は、上位通信装置１１に備えられる通信ポート１１１、中位通信装置２に備えられる通信ポート２１、２２、又は下位通信装置４１に備えられる通信ポート４１２のいずれか一つと接続される。物理ポート３１は、光ファイバケーブルに取り付けられるコネクタに応じた形状のコネクタを有し、光信号の入出力を行う。切替装置３は、切替制御装置５による制御情報を、制御ポート３２を介して受け付ける。切替装置３は、制御情報に応じて、複数の物理ポートのうち２個の物理ポートを接続して２個の物理ポート間での光信号の伝送を可能にする。例えば、切替装置３は、物理ポート３１と、他の物理ポート３１との間を接続する光ファイバケーブルをロボットアームにて切り替える構成を有する。あるいは、切替装置３は、ＭＥＭＳ（Micro-Electro-Mechanical Systems）ミラー・デバイスを有し、制御されたＭＥＭＳミラーを介して２個の物理ポート３１間で光信号の伝送を可能にする。上記の例に限定されることなく、切替装置３は、２個の物理ポート３１の対を選択することで、光信号の伝送経路を変更できる構成を有していればよい。
【００３２】
切替制御装置５は、上位制御装置８から受け付ける指示に応じて、切替装置３を制御する。上位制御装置８から受け付ける指示は、２個の物理ポート３１を接続することを示す。指示は、複数の対の物理ポート３１を接続することを示してもよい。
【００３３】
通信制御装置６は、上位制御装置８から受け付ける指示に応じて、上位通信装置１１、中位通信装置２及び下位通信装置４１に装置設定情報を供給し、上位通信装置１１、中位通信装置２及び下位通信装置４１それぞれの動作を制御する。上位通信装置１１に供給される装置設定情報は、上位通信装置１１の通信ポート１１１及び通信ポート１１２から入力される光信号に対する信号処理と、信号処理により得られる光信号を出力する通信ポート１１１又は通信ポート１１２を定める。同様に、下位通信装置４１に供給される装置設定情報は、通信ポート４１１及び通信ポート４１２から入力される光信号に対する信号処理と、信号処理により得られる光信号を出力する通信ポート４１１又は通信ポート４１２を定める。
【００３４】
ネットワーク管理装置７は、割当管理部７１と、物理配線管理部７５とを備える。割当管理部７１は、割当情報の記憶及び更新を行う。割当情報は、切替装置３を介して接続される上位通信装置１１の通信ポート１１１と中位通信装置２の通信ポート２２との接続を示す情報と、切替装置３を介して接続される中位通信装置２の通信ポート２１と下位通信装置４１の通信ポート４１２との接続を示す情報とを含む。割当情報は、上位ネットワーク１と下位ネットワーク４との間の通信に割り当てられた中位通信装置２及びその通信ポート２１、２２を示す。
【００３５】
物理配線管理部７５は、物理配線情報の記憶及び更新を行う。物理配線情報は、上位通信装置１１の通信ポート１１１と切替装置３の物理ポート３１との接続を示す情報と、切替装置３と中位通信装置２の通信ポート２１及び通信ポート２２との接続を示す情報と、切替装置３の物理ポート３１と下位通信装置４１の通信ポート４１２との接続を示す情報とを含む。物理配線情報は、上位通信装置１１、中位通信装置２及び下位通信装置４１の各通信ポートと、切替装置３の物理ポート３１との接続を示す。
【００３６】
上位制御装置８は、他のネットワークを介して接続される端末装置９から受信する指示に応じて、物理ポート３１の接続を切り替える指示を切替制御装置５に供給する。端末装置９は、光通信ネットワーク１００を運用、保守する技術者による入力を受け付け、上位制御装置８へ指示を供給する。端末装置９は、中位通信装置２及び切替装置３が設置される通信局舎と異なる場所に設けられ、技術者は遠隔操作により切替装置３を操作する。通信システム１１０は、端末装置９を介して、上位ネットワーク１と下位ネットワーク４との間の通信状態に関する状態情報を取得する。状態情報は、例えば、光通信ネットワーク１００における通信断、中位通信装置２の故障、中位通信装置２の通信ポート２１、２２の故障、又は光通信ネットワーク１００を利用するユーザに提供する通信回線の変更を示す。
【００３７】
例えば、技術者は、中位通信装置２における故障の連絡や、光通信ネットワーク１００を利用するユーザからの通信断の連絡を受けて、切替装置３を操作する。技術者が切替装置３を操作して、通信に割り当てる中位通信装置２及びその通信ポート２１、２２を切り替えることにより、故障や通信断からの復旧を図る。また、技術者は、光通信ネットワーク１００を利用するユーザからの要求に応じて、切替装置３を操作する。例えば、ユーザからの要求として、ユーザに対して提供される通信回線の帯域変更や、通信回線の利用停止、新しい通信回線の増設などが含まれる。このような要求を受けた場合、光通信ネットワーク１００は、下位通信装置４１に接続する中位通信装置２の変更、下位通信装置４１に接続する中位通信装置２の通信ポート２１の変更、又は下位通信装置４１に接続する通信ポート２１の増減を行う。
【００３８】
通信システム１１０は、上位ネットワーク１と下位ネットワーク４との通信の中継に割り当てる中位通信装置２と、その通信ポート２１、２２とを、切替装置３を用いて切り替える。切替装置３による中位通信装置２又は通信ポート２１、２２の切り替えにより、中位通信装置２が設置されている通信局舎に技術者が赴くことなく、中位通信装置２の故障の復旧や、中位通信装置２の更新又は交換が可能となる。通信システム１１０は、通信局舎における技術者の作業を不要とすることで、光通信ネットワーク１００の運用コストを削減し、通信が不能な期間を短くできる。
【００３９】
また、通信システム１１０は、上位ネットワーク１及び下位ネットワーク４に接続する中位通信装置２の変更を自由に行えるため、通信に利用している中位通信装置２ごとに予備装置を設けずとも、各中位通信装置２の冗長化を実現できる。通信システム１１０は、冗長化の度合いに応じた数の中位通信装置２を備えることで、中位通信装置２の冗長化に要するコストも削減できる。また、通信システム１１０は、切替装置３による接続の切り替えにより、ユーザに提供する通信回線の変更も技術者が通信局舎に赴く場合に比べ短い時間で行える。
【００４０】
以下、切替制御装置５、割当管理部７１及び物理配線管理部７５の構成について説明する。ここで、上位通信装置１１、中位通信装置２及び下位通信装置４１それぞれと、切替装置３との接続を、具体的に説明するために、図２に示す接続例を用いる。図２は、上位通信装置１１、中位通信装置２及び下位通信装置４１それぞれと、切替装置３との接続例を示す図である。図２に示す接続例では、上位ネットワーク１が上位通信装置１１−１「＃Ａ」を備え、通信システム１１０が中位通信装置２−１「＃Ｂ」と中位通信装置２−２「＃Ｄ」とを備え、下位ネットワーク４が下位通信装置４１−１「＃Ｃ」を備える。更に、上位通信装置１１−１「＃Ａ」は２個の通信ポート１１１「＃１」及び「＃２」を備える。中位通信装置２−１「＃Ｂ」及び２−２「＃Ｄ」は２個の通信ポート２２「＃１」及び「＃２」と２個の通信ポート２１「＃３」及び「＃４」とを備える。下位通信装置４１−１「＃Ｃ」は２個の通信ポート４１２「＃１」及び「＃２」を備える。同じ名称及び符号が割り当てられている通信ポート及び物理ポートを、「＃」と数字とを組み合わせて区別する。
【００４１】
切替装置３に備えられる複数の物理ポート３１のうち、１２個の物理ポート３１「＃１１」、「＃１２」、「＃２１」、「＃２２」、「＃２３」、「＃２４」、「＃３１」、「＃３２」、「＃３３」、「＃３４」、「＃４１」及び「＃４２」が、上位通信装置１１、中位通信装置２及び下位通信装置４１との接続に用いられる。図２に示す接続例は、切替装置３に備えられる複数の物理ポート３１のうち、接続に用いられる物理ポート３１を示している。
【００４２】
物理ポート３１「＃１１」及び「＃１２」は、上位通信装置１１−１「＃Ａ」の通信ポート１１１「＃１」及び「＃２」にそれぞれ接続されている。物理ポート３１「＃２１」及び「＃２２」は、中位通信装置２−１「＃Ｂ」の通信ポート２２「＃１」及び「＃２」それぞれに接続されている。物理ポート３１「＃２３」及び「＃２４」は、中位通信装置２−２「＃Ｄ」の通信ポート２２「＃１」及び「＃２」それぞれに接続されている。物理ポート３１「＃３１」及び「＃３２」は、中位通信装置２−１「＃Ｂ」の通信ポート２１「＃３」及び「＃４」それぞれに接続されている。物理ポート３１「＃３３」及び「＃３４」は、中位通信装置２−２「＃Ｄ」の通信ポート２１「＃３」及び「＃４」それぞれに接続されている。物理ポート３１「＃４１」及び「＃４２」は、下位通信装置４１−１「＃Ｃ」の通信ポート４１２「＃１」及び「＃２」それぞれに接続されている。
【００４３】
切替装置３において、物理ポート３１「＃１１」及び「＃１２」が、物理ポート３１「＃２１」及び「＃２２」それぞれと接続されている。物理ポート３１「＃３１」及び「＃３２」が、物理ポート３１「＃４１」及び「＃４２」それぞれに接続されている。切替装置３における物理ポート３１間の接続は、前述のように、切替可能である。
【００４４】
図３は、切替制御装置５の構成例を示すブロック図である。切替制御装置５は、インタフェース５１、配線情報取得部５２、切替装置配線情報記憶部５３、配線可否判定部５４、配線指示部５５、応答受付部５６及び配線情報更新部５７を備える。インタフェース５１は、上位制御装置８との入出力を行う。
【００４５】
インタフェース５１は、接続変更情報と要求情報とを制御情報として上位制御装置８からを受け付ける。接続変更情報は、切替装置３における物理ポート３１間の接続変更の指示を示す。要求情報は、切替装置配線情報記憶部５３が記憶する切替装置配線情報の要求を示す。インタフェース５１は、接続変更情報に基づいた接続変更の完了又は不能を示す応答を上位制御装置８に通知する。また、インタフェース５１は、要求情報への応答として切替装置配線情報とを上位制御装置８に供給する。
【００４６】
配線情報取得部５２は、インタフェース５１が要求情報を受け付けると、切替装置配線情報記憶部５３に記憶されている切替装置配線情報を読み出し、読み出した切替装置配線情報をインタフェース５１に供給する。
【００４７】
切替装置配線情報記憶部５３は、切替装置配線情報を記憶する。切替装置配線情報は、切替装置３における物理ポート３１間の接続を示す。切替装置配線情報は、接続された２個の物理ポート３１を識別する物理ポート番号の対を示す情報を含む。図４は、切替装置配線情報の一例を示す図である。図４に示す切替装置配線情報は、図２に示す接続例における物理ポート３１間の接続を表している。図４に示す切替装置配線情報は、物理ポート番号「＃１１」と「＃２１」との対を含み、物理ポート番号で示される物理ポート３１が接続されていることを表している。同様に、切替装置配線情報は、物理ポート３１「＃１２」と「＃２２」とが接続されていること、物理ポート３１「＃４１」と「＃２３」とが接続されていること、及び、物理ポート３１「＃４２」と「＃２４」とが接続されていることを表している。なお、切替装置配線情報は、上位ネットワーク１と通信ポート２２との接続に関する物理ポート番号の対を示す上位配線情報と、下位ネットワーク４と通信ポート２２との接続に関する物理ポート番号の対を示す下位配線情報とに分けてもよい。
【００４８】
配線可否判定部５４は、インタフェース５１が接続変更情報を受け付けると、接続変更情報が示す接続の変更が可能か否かを切替装置配線情報に基づいて判定する。接続の変更が可能な場合、配線可否判定部５４は、接続変更情報を配線指示部５５へ供給する。接続先の変更が不可能な場合、配線可否判定部５４は、接続の変更が不可能なことを示す応答をインタフェース５１に通知する。例えば、既に物理ポート３１「＃２２」に接続されている物理ポート３１「＃１２」に対して、物理ポート３１「＃２３」を接続する変更の指示を接続変更情報が示す場合、配線可否判定部５４は、物理ポート３１「＃１２」に複数の物理ポートを接続できないと判定し、当該接続を不可能と決定する。このとき、配線可否判定部５４は、接続の変更が不可能なことを示す応答をインタフェース５１に供給する。
【００４９】
配線指示部５５は、接続変更情報に基づいた接続変更の指示を、切替装置３の制御ポート３２に供給する。応答受付部５６は、接続変更情報に応じた接続変更の完了を示す応答を、切替装置３の制御ポート３２から受け付ける。応答受付部５６は、接続変更の完了を示す応答を受け付けると、応答の受け付けを配線情報更新部５７に通知する。配線情報更新部５７は、切替装置配線情報を、接続変更情報が示す接続の変更に応じて更新する。配線情報更新部５７は、切替装置配線情報の更新を終えると、接続変更情報に基づいた接続変更の完了を示す応答をインタフェース５１に通知する。インタフェース５１は、当該通知に応じて、接続変更情報に基づいた接続変更の完了を示す応答を上位制御装置８に供給する。
【００５０】
図５は、割当管理部７１の構成例を示すブロック図である。割当管理部７１は、インタフェース７２、情報作成部７３及び割当情報記憶部７４を備える。インタフェース７２は、上位制御装置８から割当情報の要求及び更新の指示を受け付ける。割当情報を要求する指示を受け付けると、インタフェース７２は、割当情報記憶部７４に記憶されている割当情報を読み出し、読み出した割当情報を上位制御装置８へ供給する。
【００５１】
インタフェース７２は、割当情報の更新の指示を受け付けると、割当情報を更新する指示を情報作成部７３へ通知する。情報作成部７３は、割当情報を更新する指示を受け付けると、インタフェース７２を介して上位制御装置８に切替装置配線情報と物理配線情報とを要求する。インタフェース７２は、当該要求への応答として受け付けた切替装置配線情報と物理配線情報とを情報作成部７３に供給する。情報作成部７３は、切替装置配線情報と物理配線情報とに基づいて割当情報を作成し、作成した割当情報で割当情報記憶部７４に記憶されている割当情報を更新する。
【００５２】
図６は、割当情報の一例を示す図である。割当情報は、光通信ネットワーク１００に備えられる上位通信装置１１、中位通信装置２及び下位通信装置４１それぞれに関する通信装置情報を含む。通信装置情報は、上位通信装置１１、中位通信装置２及び下位通信装置４１それぞれを識別する識別情報と、それらの装置が有する通信ポートそれぞれを識別する通信ポート番号とを含む。すなわち、通信装置情報は、通信システム１１０において通信ポートを一意に特定する。また、割当情報は、上位ネットワーク１と下位ネットワーク４との間の通信に割り当てられた中位通信装置２及びその通信ポート２１、２２を示す。
【００５３】
図６に示す割当情報では、上位通信装置１１−１「＃Ａ」、中位通信装置２−１「＃Ｂ」及び下位通信装置４１−１「＃Ｃ」それぞれの識別情報として、装置のシリアル番号「ＡＡＡＡ」、「ＢＢＢＢ」及び「ＣＣＣＣ」が用いられている。また、各装置の通信ポートを示す通信ポート番号として、「＃１」、「＃２」、「＃３」及び「＃４」が用いられている。識別情報としてシリアル番号が用いられる場合について説明するが、シリアル番号以外を用いて上位通信装置１１、中位通信装置２及び下位通信装置４１を識別してもよい。例えば、識別情報として、上位通信装置１１、中位通信装置２及び下位通信装置４１に割り当てられたＭＡＣ（Media Access Control）アドレス、ホスト名、装置名、ＩＰ（Internet Protocol）アドレスなどのいずれか一つ又はそれらの組み合わせを用いてもよい。
【００５４】
図２に示す接続例を表す割当情報は、図６に示すように、上位通信装置１１−１「＃Ａ」の通信ポート１１１「＃１」と中位通信装置２−１「＃Ｂ」の通信ポート２２「＃１」とが対応することを示し、それらの通信ポートが接続されていることを表している。同様に、割当情報は、上位通信装置１１−１「＃Ａ」の通信ポート１１１「＃２」と中位通信装置２−１「＃Ｂ」の通信ポート２２「＃２」とが接続されていることを表している。更に、割当情報は、中位通信装置２−１「＃Ｂ」の通信ポート２１「＃３」と下位通信装置４１−１「＃Ｃ」の通信ポート４２「＃１」とが接続されていること、及び、中位通信装置２−１「＃Ｂ」の通信ポート２１「＃４」と下位通信装置４１−１「＃Ｃ」の通信ポート４２「＃２」とが接続されていることを表している。
【００５５】
図７は、物理配線管理部７５の構成例を示すブロック図である。物理配線管理部７５は、インタフェース７６、物理配線情報取得部７７、物理配線情報更新部７８及び物理配線情報記憶部７９を備える。インタフェース７６は、上位制御装置８から物理配線情報の要求又は更新の指示を受け付ける。物理配線情報を要求する指示を受け付けると、インタフェース７６は、指示を物理配線情報取得部７７に通知する。インタフェース７６は、指示への応答として物理配線情報取得部７７から物理配線情報を受け付け、物理配線情報を上位制御装置８に供給する。インタフェース７６は、物理配線情報の更新を受け付けると、インタフェース７６は、物理配線変更情報を上位制御装置８に要求する。物理配線変更情報は、上位通信装置１１、中位通信装置２及び下位通信装置４１と、切替装置３との接続の変更を示す。物理配線変更情報を受け付けると、インタフェース７６は、物理配線変更情報を物理配線情報更新部７８に供給する。
【００５６】
物理配線情報取得部７７は、インタフェース７６からの指示に応じて、物理配線情報記憶部７９から物理配線情報を読み出し、読み出した物理配線情報をインタフェース７６に供給する。物理配線情報更新部７８は、インタフェース７６から物理配線変更情報を受け付けると、物理配線情報記憶部７９に記憶されている物理配線情報を、物理配線変更情報が示す接続の変更に基づいて更新する。
【００５７】
図８は、物理配線情報の一例を示す図である。物理配線情報は、切替装置３の物理ポート３１を示す切替装置情報又は物理ポート番号と、上位通信装置１１、中位通信装置２及び下位通信装置４１それぞれに関する通信装置情報とを含む。物理配線情報は、物理ポート３１それぞれに接続される、上位通信装置１１、中位通信装置２及び下位通信装置４１いずれかの通信ポートを示す。物理ポート３１に上位通信装置１１、中位通信装置２及び下位通信装置４１いずれの通信ポートも接続されていない場合、物理配線情報において空（ＮＵＬＬ）の情報が当該物理ポート３１の物理ポート番号に対応付けられる。
【００５８】
図８に示す物理配線情報では、図６に示した例と同様に、上位通信装置１１−１「＃Ａ」、中位通信装置２−１「＃Ｂ」及び下位通信装置４１−１「＃Ｃ」それぞれの識別情報として、シリアル番号「ＡＡＡＡ」、「ＢＢＢＢ」及び「ＣＣＣＣ」が用いられている。また、各装置の通信ポートを示す通信ポート番号として、「＃１」、「＃２」、「＃３」及び「＃４」が用いられている。また、物理ポート３１を示す物理ポート番号として、「＃１１」、「＃１２」、「＃２１」、「＃２２」、「＃２３」、「＃２４」、「＃３１」、「＃３２」、「＃３３」、「＃３４」、「＃４１」及び「＃４２」が用いられている。
【００５９】
図２に示す接続例を表す物理配線情報は、図８に示すように、物理ポート３１「＃１１」と上位通信装置１１−１「＃Ａ」の通信ポート１１１「＃１」とが対応することを示し、それらのポートが接続されていることを表している。同様に、物理配線情報は、物理ポート３１「＃１２」と上位通信装置１１−１の通信ポート１１１「＃２」が接続されていることを表している。また、物理配線情報は、物理ポート３１「＃２１」、「＃２２」、「＃２３」及び「＃２４」と、中位通信装置２−１の通信ポート２２「＃１」、通信ポート２２「＃２」、通信ポート２１「＃３」及び通信ポート２１「＃４」とがそれぞれ接続されていることを表している。また、物理配線情報は、物理ポート３１「＃３１」、「＃３２」、「＃３３」及び「＃３４」と、中位通信装置２−２の通信ポート２２「＃１」、通信ポート２２「＃２」、通信ポート２１「＃３」及び通信ポート「＃４」とがそれぞれ接続されていることを表している。また、物理配線情報は、物理ポート３１「＃４１」及び「＃４２」と、下位通信装置４１−１の通信ポート４１２「＃１」及び「＃２」とがそれぞれ接続されていることを表している。
【００６０】
次に、配線情報作成システムの構成例を説明する。
（第１実施形態）
図９は、配線情報作成システム１０の構成例を示す図である。配線情報作成システム１０は、通信システム１１０の切替装置３の物理ポートと中位通信装置２の通信ポートとの物理的な配線の情報（物理配線情報）を作成する装置である。配線情報作成システム１０は、例えば、図８に示された物理配線情報を作成する。
【００６１】
配線情報作成システム１０は、切替装置３と、切替制御装置５と、中位通信装置２−１〜２−Ｎ（「Ｎ」は、２以上の整数。以下では、「Ｎ＝２」。）と、通信制御装置６と、端末装置９と、測定装置１３−１〜１３−Ｒ（「Ｒ」は、２以上の整数。以下では、「Ｒ＝２」。）と、接続制御装置１４と、上位制御装置８とを備える。
【００６２】
これらの装置は、単体の装置、例えば制御装置として設けられてもよい。例えば、測定装置１３−１〜１３−Ｒは、単体の装置でもよい。すなわち、測定装置１３−１〜１３−Ｒは、同一の筐体内に統合されてもよい。切替制御装置５と中位通信装置２と通信制御装置６と上位制御装置８と端末装置９と測定装置１３と接続制御装置１４ととのうちの一部又は全部は、ＣＰＵ（Central Processing Unit）等のプロセッサが、不揮発性の記録媒体（非一時的な記録媒体）であるメモリに記憶されたプログラムを読み取って実行することにより、ソフトウェアとして実現される。プログラムは、コンピュータ読み取り可能な記録媒体に記録されてもよい。コンピュータ読み取り可能な記録媒体とは、例えばフレキシブルディスク、光磁気ディスク、ＲＯＭ（Read Only Memory）、ＣＤ−ＲＯＭ（Compact Disc Read Only Memory）等の可搬媒体、コンピュータシステムに内蔵されるハードディスク等の記憶装置などの非一時的な記憶媒体である。プログラムは、電気通信回線を介して送信されてもよい。切替制御装置５と中位通信装置２と通信制御装置６と上位制御装置８と端末装置９と測定装置１３と接続制御装置１４とのうちの一部又は全部は、例えば、ＬＳＩ（Large Scale Integration circuit）、ＡＳＩＣ（Application Specific Integrated Circuit）、ＰＬＤ（Programmable Logic Device）又はＦＰＧＡ（Field Programmable Gate Array）等を用いた電子回路（electronic circuit又はcircuitry）を含むハードウェアとして実現されてもよい。
【００６３】
切替制御装置５と通信制御装置６と上位制御装置８と接続制御装置１４とは、例えばＡＰＩ（Application Programming Interface）を用いて互いに通信する。
【００６４】
中位通信装置２は、上位ネットワーク１及び下位ネットワーク４の間の通信を中継する。中位通信装置２は、例えば、上位ネットワーク１及び下位ネットワーク４の間の通信を収容する収容装置である。中位通信装置２−１に割り当てられたシリアル番号アドレスは、一例として、「ＢＢＢＢ」である。中位通信装置２−Ｎに割り当てられたシリアル番号は、一例として、「ＤＤＤＤ」である。
【００６５】
中位通信装置２は、複数の通信ポート２１と、複数の通信ポート２２と、設定ポート２３とを備える。通信ポート２１と通信ポート２２とは、中位通信装置２において装置設定情報に基づいて予め接続されていてもよい。
【００６６】
中位通信装置２の通信ポート２１及び通信ポート２２と、切替装置３の物理ポート３１とは、光ファイバを用いて、予め接続される。図９では、一例として、物理ポート３１「＃１」と中位通信装置２−１の通信ポート２２「＃１」とが、予め接続される。物理ポート３１「＃２」と中位通信装置２−１の通信ポート２２「＃２」とが、予め接続される。物理ポート３１「＃４」と中位通信装置２−Ｎの通信ポート２２「＃２」とが、予め接続される。物理ポート３１「＃５」と中位通信装置２−Ｎの通信ポート２２「＃３」とが、予め接続される。中位通信装置２の設定ポート２３と、通信制御装置６とは、通信ケーブルを用いて、予め接続される。設定ポート２３は、中位通信装置２と通信制御装置６との間の信号を送信及び受信する。
【００６７】
切替装置３は、複数の物理ポート３１と、制御ポート３２とを備える。切替装置３は、例えば、ＲＰＰ、クロスバースイッチである。物理ポート３１は、中位通信装置２と切替装置３との間の光信号を送信及び受信する。また、物理ポート３１は、測定装置１３と切替装置３との間の光信号を送信及び受信する。
【００６８】
制御ポート３２は、切替装置３と切替制御装置５との間の信号を送信及び受信する。切替装置３は、上位ネットワーク１及び下位ネットワーク４の間の光信号の伝送路を、切替制御装置５による制御に応じて、物理ポート３１の組み合わせの単位で切り替える。
【００６９】
切替制御装置５は、上位制御装置８によって選択された物理ポート３１を伝送路が通るように伝送路を切り替える指示を、切替装置３に出力する。例えば、物理ポート３１「＃１」が選択された場合、測定装置１３に接続された物理ポート３１と、上位制御装置８によって選択された物理ポート３１「＃１」とを伝送路が通るように、切替装置３における伝送路を切り替える。
【００７０】
通信制御装置６は、中位通信装置２の動作を制御する装置である。通信制御装置６は、新規の中位通信装置２が切替装置３に接続されたことを、上位制御装置８に通知する。
【００７１】
上位制御装置８（情報作成装置）は、新規の中位通信装置２が切替装置３に接続された場合、物理配線情報において「未使用」とされている切替装置３の物理ポート３１を選択する。
【００７２】
図１０は、物理配線情報の例を示す図である。図１０に示された物理配線情報は、通信システム１１０における物理的な配線を表す情報である。物理配線情報では、切替装置情報と、測定情報と、通信装置情報とが、切替装置の物理ポートごとに互いに対応付けられている。以下、物理配線情報における単一の物理ポートと、測定情報と、通信装置情報との対応付けを「接続情報」という。図１０では、接続情報は、表形式の物理配線情報における行を表す。
【００７３】
切替装置情報は、切替装置３に関する情報である。切替装置情報は、切替装置３の物理ポート番号を含む。測定情報は、測定結果に関する情報である。測定情報は、接続状態情報を含む。接続状態情報とは、中位通信装置２と通信ポートと切替装置３の物理ポートとの接続状態を表す情報である。接続状態を表す情報とは、例えば、リンクアップ、エラー又は未使用を表す情報である。ここで、「エラー」は、リンクアップ及び疎通していないこと、すなわち、リンクダウンしていることを表す。「未使用」は、通信ポートに接続されていない物理ポートであることを表す。通信装置情報は、中位通信装置２に関する情報である。通信装置情報は、例えば、中位通信装置２のシリアル番号と、通信ポート番号とを含む。
【００７４】
図９に戻り、配線情報作成システム１０の構成例の説明を続ける。測定装置１３は、光信号を測定する装置である。測定装置１３は、強度検出部１３１と、光トランシーバ１３２と、光トランシーバ１３３と、光トランシーバ１３４と、インタフェース１３５とを備える。図９では、一例として、強度検出部１３１と切替装置３の物理ポート３１とが光ファイバで接続され、予め選択された光トランシーバ１３４と切替装置３の物理ポート３１とが光ファイバで接続されている。
【００７５】
強度検出部１３１は、光パワーメータである。光トランシーバ１３２と、光トランシーバ１３３と、光トランシーバ１３４と、インタフェース１３５とは、例えば、１０ＧＢＡＳＥ−ＳＸ、１０ＧＢＡＳＥ−ＬＲ等のイーサネット（登録商標）の通信規格に対応している光トランシーバである。以下では、光トランシーバ１３２は、一例として、通信規格「１０ＧＢＡＳＥ−ＳＸ」に対応している。光トランシーバ１３３は、一例として、通信規格「１０ＧＢＡＳＥ−ＬＲ」に対応している。光トランシーバ１３４は、一例として、通信規格「１０ＧＢＡＳＥ−ＬＸ４」に対応している。各光トランシーバの通信速度は、通信規格において定められた範囲内で変更可能である。
【００７６】
上位制御装置８によって例えば物理ポート３１「＃１」が選択された場合、物理ポート３１「＃１」と強度検出部１３１とが、切替装置３によって接続される。測定装置１３は、接続制御装置１４による制御に応じて、接続された物理ポート３１の光信号（ポート状態）を測定する。
【００７７】
強度検出部１３１は、強度検出部１３１に接続された物理ポート３１「＃１」の光信号の強度を、通信速度を変更しながら測定する。中位通信装置２の物理ポート３１「＃１」と測定装置１３との間がリンクアップ又は疎通している場合、物理ポート３１「＃１」における光信号の強度は、物理ポート３１「＃１」と測定装置１３との間がリンクアップ又は疎通していない場合と比較して増加する。したがって、接続制御装置１４は、光ファイバを経由して通信ポート２１又は通信ポート２２に接続されている物理ポート３１を、物理ポート３１における光信号の強度の測定結果に基づいて検出することができる。
【００７８】
強度検出部１３１に接続された例えば物理ポート３１「＃１」の光信号の強度が閾値以上であると接続制御装置１４によって判定された場合、次に、物理ポート３１「＃１」と、予め選択された光トランシーバ１３４とが、切替装置３によって接続される。物理ポート３１「＃１」に接続された光トランシーバ１３４は、通信規格「１０ＧＢＡＳＥ−ＬＸ４」に基づいて、物理ポート３１「＃１」との通信を実行する。光トランシーバ１３４による通信が成功したか否かに基づいて、物理ポート３１「＃１」がリンクアップしているか否かが判定される。
【００７９】
同様に、強度検出部１３１に接続された物理ポート３１「＃２」の光信号の強度が閾値以上であると接続制御装置１４によって判定された場合、次に、物理ポート３１「＃２」と、予め選択された光トランシーバ１３４とが、切替装置３によって接続される。光トランシーバ１３４は、光信号の強度が閾値以上である物理ポート３１「＃２」についても同様に通信を実行する。
【００８０】
光トランシーバ１３４は、光信号の強度が閾値以上であると判定された物理ポート３１「＃４」「＃５」についても同様に通信を実行する。光トランシーバ１３４による通信が成功したか否かに基づいて、物理ポート３１「＃４」「＃５」がそれぞれリンクアップ又は疎通しているか否かが判定される。
【００８１】
接続制御装置１４は、選択された物理ポート３１に接続された光トランシーバの通信規格の情報を、測定装置１３から取得する。接続制御装置１４は、選択された物理ポート３１に接続された中位通信装置２の番号（例えば、シリアル番号）を、中位通信装置２から取得する。接続制御装置１４は、選択された物理ポート３１に接続された通信ポート２２の番号を、中位通信装置２から取得する。接続制御装置１４は、測定装置１３がループバック（Loopback）のコマンドを実行することによって、中位通信装置２の通信ポートの番号を、中位通信装置２から取得する。
【００８２】
接続制御装置１４は、ＬＬＤＰ（Link Layer Discovery Protocol）のパケットを測定装置１３がマルチキャスト・アドレス宛に送信することによって、中位通信装置２の通信ポートの番号を、中位通信装置２から取得してもよい。ＬＬＤＰのパケットを測定装置１３がマルチキャスト・アドレス宛て送信した後で、中位通信装置２は、インターフェース番号等の所定の情報を、ＬＬＤＰのパケットから取得する。ＬＬＤＰのパケットを中位通信装置２がマルチキャスト・アドレス宛て送信した後で、接続制御装置１４は、インターフェース番号等の所定の情報を、ＬＬＤＰのパケットから取得してもよい。
【００８３】
接続制御装置１４は、中位通信装置２の通信ポートと、選択された物理ポート３１とが接続されたか否かを判定する。接続制御装置１４は、中位通信装置２の通信ポート２１又は通信ポート２２と、選択された物理ポート３１とが接続されたか否かを、選択された物理ポート３１の伝送路における光信号の光強度の測定結果に基づいて判定する。中位通信装置２の物理ポート３１と測定装置１３との間がリンクアップ又は疎通している場合、光信号の強度は、物理ポート３１と測定装置１３との間がリンクアップ又は疎通していない場合と比較して増加する。したがって、光ファイバを経由して通信ポート２１又は通信ポート２２に接続されている物理ポート３１を、接続制御装置１４は光信号の強度の測定結果に基づいて検出することができる。
【００８４】
接続制御装置１４は、選択された物理ポート３１において中位通信装置２と測定装置１３との間がリンクアップ又は疎通したか否かを判定する。ここで、リンクアップしたとは、測定装置１３と中位通信装置２（対向装置）とが接続され、測定装置１３と中位通信装置２とが通信可能な状態になることである。例えば、測定装置１３がイーサネット（登録商標）のプロトコルを用いて通信する場合、測定装置１３の物理層（レイヤ１）と中位通信装置２の物理層とが接続され、データリンク層（レイヤ２）においてプロトコルを用いた通信が可能な状態である。疎通したとは、「Ｐｉｎｇ」又はループバック（Loopback）等の試験信号又はデータ転送の実行が成功したことである。
【００８５】
次に、配線情報作成システム１０の動作例を説明する。
図１１は、配線情報作成システム１０の動作例を示すフローチャートである。切替制御装置５は、接続制御装置１４による制御に応じて、物理ポート３１の組み合わせの単位で、切替装置３の内部の配線（経路）を切り替える（ステップＳ１０１）。接続制御装置１４は、中位通信装置２の通信ポート２２と測定装置１３−２の光トランシーバ１３４との間がリンクアップ又は疎通したか否かを判定する（ステップＳ１０２）。
【００８６】
中位通信装置２の通信ポート２２と測定装置１３−２の光トランシーバ１３４との間がリンクアップ又は疎通していない場合（ステップＳ１０２：ＮＯ）、上位制御装置８は、切替装置３において未使用の残りの物理ポート３１が存在するか否かを判定する（ステップＳ１０３）。未使用の残りの物理ポート３１が存在する場合（ステップＳ１０３：ＹＥＳ）、切替制御装置５は、未使用の残りの物理ポート３１に経路を切り替える指示を、切替装置３に出力する（ステップＳ１０４）。配線情報作成システム１０は、ステップＳ１０１に処理を戻す。
【００８７】
切替装置３において未使用の残りの物理ポート３１が存在しない場合（ステップＳ１０３：ＮＯ）、上位制御装置８は、物理配線情報における接続状態「エラー」を、通信ポート２２に接続されていない物理ポート３１であることを表す接続状態「未使用」に変更する（ステップＳ１０５）。
【００８８】
中位通信装置２の通信ポート２２と測定装置１３−２の光トランシーバ１３４との間がリンクアップ又は疎通した場合（ステップＳ１０２：ＹＥＳ）、接続制御装置１４は、測定装置１３−２を経由して、通信装置情報を中位通信装置２から取得する（ステップＳ１０６）。接続制御装置１４は、中位通信装置２の通信装置情報と、切替装置３の物理ポート番号とを、上位制御装置８に通知する（ステップＳ１０７）。上位制御装置８は、通信装置情報と切替装置３の物理ポート番号とに基づいて、その物理ポート番号に関する接続情報を作成する。上位制御装置８は、接続情報を用いて、物理配線情報を更新する。上位制御装置８は、物理配線情報を端末装置９に送信してもよい（ステップＳ１０８）。
【００８９】
ステップＳ１０１からステップＳ１０４までによって、物理配線情報における「接続状態」が定まる。ステップＳ１０６によって、物理配線情報における「通信装置情報」が定まる。
【００９０】
配線情報作成システム１０は、中位通信装置２の通信ポート２１と測定装置１３−１の光トランシーバ１３４との間についても、図１１に示された動作と同様に動作する。
【００９１】
図１２は、配線情報作成システム１０の動作例を示すシーケンス図である。中位通信装置２は、切替装置３に接続されたことを、通信制御装置６に通知する（ステップＳ２０１）。通信制御装置６は、新規の中位通信装置２が切替装置３に接続されたことを、上位制御装置８に通知する（ステップＳ２０２）。上位制御装置８は、物理配線情報において「未使用」とされている物理ポート３１を選択する。上位制御装置８は、選択された物理ポート３１の番号を記憶する（ステップＳ２０３）。上位制御装置８は、記憶された番号の物理ポート３１に経路を切り替える指示を、切替制御装置５に出力する（ステップＳ２０４）。切替制御装置５は、選択された物理ポート３１に経路を切り替える指示を、切替装置３に出力する（ステップＳ２０５）。
【００９２】
切替装置３は、選択された物理ポート３１に、経路を切り替える。図９では、光信号の強度が閾値以上である物理ポート３１は、一例として、物理ポート３１「＃１」「＃２」「＃４」「＃５」である。これによって、選択された物理ポート３１と、測定装置１３−２において予め選択された光トランシーバ１３４との間の接続が完了する（ステップＳ２０６）。
【００９３】
切替装置３は、選択された物理ポート３１に経路を切り替える処理が完了したことを、切替制御装置５に通知する（ステップＳ２０７）。切替制御装置５は、経路を切り替える処理が完了したことを、上位制御装置８に通知する（ステップＳ２０８）。
【００９４】
上位制御装置８は、接続状態（リンクアップ又は疎通したか否か）を確認する指示を、接続制御装置１４に出力する（ステップＳ２０９）。接続制御装置１４は、接続状態を確認する指示を、測定装置１３−２に出力する（ステップＳ２１０）。測定装置１３−２は、選択された物理ポート３１の接続状態を、接続制御装置１４に通知する（ステップＳ２１１）。接続制御装置１４は、選択された物理ポート３１の接続状態を、上位制御装置８に通知する（ステップＳ２１２）。
【００９５】
上位制御装置８は、物理配線情報において「未使用」とされている物理ポート３１の測定情報（接続状態）を記憶する（ステップＳ２１３）。上位制御装置８は、測定情報が記憶された物理ポート３１に接続された中位通信装置２の通信装置情報を取得する指示を、接続制御装置１４に出力する（ステップＳ２１４）。接続制御装置１４は、通信装置情報を取得する指示を、測定装置１３−２に出力する（ステップＳ２１５）。
【００９６】
測定装置１３−２は、通信装置情報を送信する指示を、測定情報が記憶された物理ポート３１に接続された中位通信装置２に出力する（ステップＳ２１６）。中位通信装置２は、通信装置情報を測定装置１３−２に通知する（ステップＳ２１７）。測定装置１３−２は、通信装置情報を接続制御装置１４に通知する（ステップＳ２１８）。接続制御装置１４は、通信装置情報を上位制御装置８に通知する（ステップＳ２１９）。
【００９７】
上位制御装置８は、ステップＳ２０３において記憶された物理ポート３１の番号と、通知された通信装置情報とを対応付けることによって、選択された物理ポート３１の接続情報を作成する（ステップＳ２２０）。上位制御装置８は、作成された接続情報に基づいて、物理配線情報を更新する（ステップＳ２２１）。
【００９８】
配線情報作成システム１０は、中位通信装置２の通信ポート２１と測定装置１３−１の光トランシーバ１３４との間についても、図１２に示された動作と同様に動作する。
【００９９】
以上のように、第１実施形態の配線情報作成システム１０は、切替装置３と、切替制御装置５と、接続制御装置１４と、上位制御装置８（情報作成装置）とを備える。切替装置３は、上位ネットワーク１及び下位ネットワーク４の間の光信号の伝送路を、物理ポート３１の組み合わせの単位で切り替える。切替制御装置５は、選択された物理ポートを通るように伝送路を切り替える指示を切替装置に出力する。接続制御装置１４は、上位ネットワーク及び下位ネットワークの間の通信を中継する中位通信装置の通信ポートと選択された物理ポートとが接続されたか否かを判定する。接続制御装置１４は、選択された物理ポートに接続された通信ポート２１又は通信ポート２２の番号を、中位通信装置２から取得する。上位制御装置８（情報作成装置）は、選択された物理ポート３１に接続された通信ポート２１又は通信ポート２２を表す接続情報を作成する。上位制御装置８は、接続情報を切替装置３の物理ポート３１ごとに表す物理配線情報を更新する。
【０１００】
これによって、第１実施形態の配線情報作成システム１０は、切替装置３の物理ポート３１と中位通信装置２の通信ポート２１又は通信ポート２２との物理的な配線の情報を作成することが可能である。
【０１０１】
通信局舎内の切替装置３と中位通信装置２との間の物理的な接続を、オペレータが遠隔地から切り替える際に、物理配線情報をオペレータが把握することが可能になる。オペレータは、データセンタ等の通信局舎に備えられた中位通信装置２の間の配線を、物理配線情報に基づいて、切替装置３を用いて遠隔から行うことが可能である。このため、通信局舎において、技術者は、指示書において決められた中位通信装置２の間の配線を行わなくてもよい。また、技術者がヒューマンエラーによって配線を間違えるというリスクがない。
【０１０２】
切替装置３と中位通信装置２とを接続する際の技術者の確認作業手順を削減することが可能となる。通信システム１１０の可用性を向上させることが可能となる。中位通信装置２を通信局舎内に設置する際の接続作業を簡易化することが可能となる。
【０１０３】
（変形例）
上位制御装置８は、切替装置３の物理ポート３１を、定期的（例えば、１時間ごと）に選択してもよい。上位制御装置８は、中位通信装置２の故障等による中位通信装置２の通信ポートのリンクダウンが検出された場合、リンクダウンが検出された通信ポートの接続情報に、エラー情報を含める。リンクダウンしていた通信ポートのリンクアップが検出された場合、配線情報作成システム１０は、第１実施形態に示された処理（例えば、図１１及び図１２に示された動作）を再実行してもよい。上位制御装置８は、リンクダウンしていた通信ポートのリンクアップが検出された場合、リンクアップが検出された通信ポートの接続情報を新たに作成する。上位制御装置８は、作成された接続情報に基づいて、物理配線情報を更新する。
【０１０４】
上位制御装置８は、リンクダウンしていた通信ポートの接続情報と新たに作成された接続情報とが同じである場合、リンクダウンが検出された通信ポートの接続情報のエラー情報を消去又は上書きする。リンクダウンしていた通信ポートのリンクアップが検出された場合、配線情報作成システム１０は、第１実施形態に示された処理（例えば、図１１及び図１２に示された動作）を再実行してもよい。上位制御装置８は、リンクダウンしていた通信ポートのリンクアップが検出された場合、リンクアップが検出された通信ポートの接続情報を新たに作成する。上位制御装置８は、リンクダウンしていた通信ポートの接続情報と新たに作成された接続情報とが異なっている場合、新たに作成された接続情報に基づいて、物理配線情報を更新する。
【０１０５】
（第２実施形態）
第２実施形態では、物理配線情報が速度情報及び通信規格情報を含む点が、第１実施形態と相違する。第２実施形態では、第１実施形態との相違点を説明する。
【０１０６】
図１３は、配線情報作成システム１０の構成例を示す図である。測定装置１３は、強度検出部１３１と、光トランシーバ１３２と、光トランシーバ１３３と、光トランシーバ１３４と、インタフェース１３５とを備える。図１３では、一例として、強度検出部１３１と切替装置３の物理ポート３１とが光ファイバで接続され、光トランシーバ１３２と切替装置３の物理ポート３１とが光ファイバで接続されている。また、光トランシーバ１３３と切替装置３の物理ポート３１とが光ファイバで接続され、光トランシーバ１３４と切替装置３の物理ポート３１とが光ファイバで接続されている。
【０１０７】
強度検出部１３１に接続された例えば物理ポート３１「＃１」の光信号の強度が閾値以上であると接続制御装置１４によって判定された場合、次に、物理ポート３１「＃１」と、光トランシーバ１３２とが、切替装置３によって接続される。物理ポート３１「＃１」に接続された光トランシーバ１３２は、通信規格「１０ＧＢＡＳＥ−ＳＸ」に基づいて、物理ポート３１「＃１」との通信を実行する。光トランシーバ１３２による通信が成功した場合、物理ポート３１「＃１」における光信号の通信規格が光トランシーバ１３２の通信規格「１０ＧＢＡＳＥ−ＳＸ」であると、接続制御装置１４によって判定される。
【０１０８】
光トランシーバ１３２による通信が成功しなかった場合、物理ポート３１「＃１」と、光トランシーバ１３３とが、切替装置３によって接続される。物理ポート３１「＃１」に接続された光トランシーバ１３３は、通信規格「１０ＧＢＡＳＥ−ＬＲ」に基づいて、物理ポート３１「＃１」との通信を実行する。光トランシーバ１３３による通信が成功した場合、物理ポート３１「＃１」における光信号の通信規格が光トランシーバ１３３の通信規格「１０ＧＢＡＳＥ−ＬＲ」であると、接続制御装置１４によって判定される。
【０１０９】
光トランシーバ１３３による通信が成功しなかった場合、物理ポート３１「＃１」と、残りの光トランシーバ１３４とが、切替装置３によって接続される。物理ポート３１「＃１」に接続された光トランシーバ１３４は、通信規格「１０ＧＢＡＳＥ−ＬＸ４」に基づいて、物理ポート３１「＃１」との通信を実行する。光トランシーバ１３４による通信が成功した場合、物理ポート３１「＃１」における光信号の通信規格が光トランシーバ１３３の通信規格「１０ＧＢＡＳＥ−ＬＸ４」であると判定される。光トランシーバ１３４による通信が成功しなかった場合、物理ポート３１「＃１」における光信号の通信規格が「エラー」であると判定される。
【０１１０】
図１４は、物理配線情報の例を示す図である。測定情報は、接続状態情報と、速度情報と、通信規格情報とを含む。速度情報は、接続制御装置１４による通信速度の判定結果を表す情報である。通信規格情報は、接続制御装置１４による通信規格の判定結果を表す情報である。
【０１１１】
図１５は、配線情報作成システム１０の動作例を示すフローチャートである。切替制御装置５は、接続制御装置１４による制御に応じて、物理ポート３１の組み合わせの単位で、切替装置３の内部の配線（経路）を切り替える（ステップＳ３０１）。接続制御装置１４は、中位通信装置２の通信ポート２２と測定装置１３−２の光トランシーバ１３４との間がリンクアップ又は疎通したか否かを判定する（ステップＳ３０２）。
【０１１２】
中位通信装置２の通信ポート２２と測定装置１３−２の光トランシーバ１３４との間がリンクアップ又は疎通していない場合（ステップＳ３０２：ＮＯ）、接続制御装置１４は、リンクアップ又は疎通していないことが測定装置１３における全ての通信速度の条件で確認されたか否かを判定する（ステップＳ３０３）。リンクアップ又は疎通していないことが全ての通信速度の条件で確認された場合（ステップＳ３０３：ＹＥＳ）、接続制御装置１４は、接続状態「エラー」を上位制御装置８に通知する（ステップＳ３０４）。上位制御装置８は、切替装置３において未使用の残りの物理ポート３１が存在するか否かを判定する（ステップＳ３０５）。
【０１１３】
切替装置３において未使用の残りの物理ポート３１が存在する場合（ステップＳ３０５：ＹＥＳ）、切替制御装置５は、未使用の残りの物理ポート３１に経路を切り替える指示を、切替装置３に出力する（ステップＳ３０６）。配線情報作成システム１０は、ステップＳ３０１に処理を戻す。
【０１１４】
リンクアップ又は疎通していないことがいずれかの通信速度の条件で確認されていない場合（ステップＳ３０３：ＮＯ）、切替制御装置５は、未確認の速度条件の光トランシーバに経路を切り替える指示を、切替装置３に出力する（ステップＳ３０７）。配線情報作成システム１０は、ステップＳ３０１に処理を戻す。
【０１１５】
切替装置３において未使用の残りの物理ポート３１が存在しない場合（ステップＳ３０５：ＮＯ）、上位制御装置８は、物理配線情報における接続状態「エラー」を、通信ポート２２に接続されていない物理ポート３１であることを表す接続状態「未使用」に変更する（ステップＳ３０８）。
【０１１６】
中位通信装置２の通信ポート２２と測定装置１３−２の光トランシーバ１３４との間がリンクアップ又は疎通した場合（ステップＳ３０２：ＹＥＳ）、接続制御装置１４は、物理ポート番号と速度情報とを、上位制御装置８に通知する（ステップＳ３０９）。接続制御装置１４は、リンクアップ又は疎通した光トランシーバの通信規格の情報を測定装置１３に要求する（ステップＳ３１０）。
【０１１７】
接続制御装置１４は、取得された通信規格の情報に基づいて、光トランシーバの通信規格が特定されたか否かを判定する（ステップＳ３１１）。光トランシーバの通信規格が特定された場合（ステップＳ３１１：ＹＥＳ）、接続制御装置１４は、リンクアップ又は疎通した光トランシーバの通信規格を、上位制御装置８に通知する（ステップＳ３１２）。光トランシーバの通信規格が特定されていない場合（ステップＳ３１１：ＮＯ）、接続制御装置１４は、通信規格「エラー」を、上位制御装置８に通知する（ステップＳ３１３）。
【０１１８】
接続制御装置１４は、測定装置１３−２を経由して、通信装置情報を中位通信装置２から取得する（ステップＳ３１４）。接続制御装置１４は、中位通信装置２の通信装置情報と、切替装置３の物理ポート番号とを、上位制御装置８に通知する（ステップＳ３１５）。上位制御装置８は、通信装置情報と切替装置３の物理ポート番号とに基づいて、その物理ポート番号に関する接続情報を作成する。上位制御装置８は、接続情報を用いて、配線情報を更新する（ステップＳ３１６）。
【０１１９】
ステップＳ３０１からステップＳ３０７までによって、物理配線情報における「接続状態」及び「速度」が定まる。ステップＳ３１０からステップＳ３１３までによって、物理配線情報における「通信規格」が定まる。ステップＳ３１４によって、物理配線情報における「通信装置情報」が定まる。
【０１２０】
配線情報作成システム１０は、中位通信装置２の通信ポート２１と測定装置１３−１の光トランシーバ１３２〜１３４との間についても、図１５に示された動作と同様に動作する。
【０１２１】
図１６は、配線情報作成システム１０の動作例を示すシーケンス図である。ステップＳ４０１からステップＳ４１２までの動作は、図１２に示されたステップＳ２０１からステップＳ２１２までの動作と同様である。
【０１２２】
上位制御装置８は、選択された物理ポート３１の接続状態がリンクアップ又は疎通であるか否かを判定する。接続状態がリンクアップ又は疎通である場合、上位制御装置８は、物理配線情報において「未使用」とされている物理ポート３１の測定情報（接続状態）を記憶する。接続状態がリンクアップ又は疎通のいずれでもない場合、上位制御装置８は、ステップＳ４０４に処理を戻し、記憶された番号の物理ポート３１と測定装置１３における残りの光トランシーバとに経路を切り替える指示を、切替制御装置５に出力する（ステップＳ４１３）。
【０１２３】
このようにして、上位制御装置８は、中位通信装置２と光トランシーバとがリンクアップ若しくは疎通するまで、又は、測定装置１３における全ての光トランシーバが光トランシーバごとに中位通信装置２に接続されるまで、ステップＳ４０４からステップＳ４１３までの動作を繰り返す。
【０１２４】
ステップＳ４１４からステップＳ４２２までの動作は、図１２に示されたステップＳ２１４からステップＳ２２２までの動作と同様である。
【０１２５】
配線情報作成システム１０は、中位通信装置２の通信ポート２１と測定装置１３−１の光トランシーバ１３２〜１３４との間についても、図１６に示された動作と同様に動作する。
【０１２６】
以上のように、第２実施形態の上位制御装置８は、取得された光トランシーバの通信規格の情報に基づいて、中位通信装置２の通信ポートの通信規格を切替装置３の物理ポート３１ごとに更に表す接続情報を作成する。上位制御装置８は、速度情報及び通信規格情報を含む接続情報を用いて、物理配線情報を更新する。これによって、第２実施形態の配線情報作成システム１０は、通信システム１１０における速度情報及び通信規格情報を含む物理配線情報を作成することが可能である。
【０１２７】
（第３実施形態）
第３実施形態では、光信号の強度を検出する強度検出装置が切替装置及び中位通信装置の間に備えられる点が、第１実施形態及び第２実施形態と相違する。第３実施形態では、第１実施形態及び第２実施形態との相違点を説明する。
【０１２８】
切替装置３の物理ポート３１ごとに経路が切り替えられる場合、切り替えの開始から完了までの時間は長い。したがって、切替装置３の物理ポート３１の数が多い場合には、物理ポート３１に接続された通信ポートの特定に必要とされる時間は長い。通信ポートの特定に必要とされる時間を短縮するために、切替装置３の各物理ポート３１における光信号の強度を、光パワーメータがリアルタイムに測定する。
【０１２９】
図１７は、配線情報作成システム１０の構成例を示す図である。第３実施形態に示された配線情報作成システム１０は、第１実施形態又は第２実施形態に示された配線情報作成システム１０と比較して、強度検出装置１５（光パワーメータ）を更に備える。強度検出装置１５は、光強度を検出する検出用ポートを複数備える。強度検出装置１５は、インラインのマルチポート・光パワーメータとして、中位通信装置２及び切替装置３の間に備えられる。強度検出装置１５は、光ファイバを用いて、中位通信装置２及び切替装置３に接続される。強度検出装置１５は、上位ネットワーク１及び下位ネットワーク４の間における、光信号の強度の増加と光信号の強度の減少とのうちの少なくとも一方を検出する。
【０１３０】
強度検出装置１５は、上位ネットワーク１及び下位ネットワーク４の間における、光信号の強度の増加と光信号の強度の減少とのうちの少なくとも一方を検出する。光信号の強度の増加は、光信号の新たな経路がリンクアップしたことを表す。
【０１３１】
強度検出装置１５の各検出用ポートに接続された各物理ポート３１の光信号の強度の合計が増加した（リンクアップが検出された）場合、接続制御装置１４は、光信号の強度の増加が検出された物理ポート３１に接続された中位通信装置２の通信ポート２２の番号を、測定装置１３の光トランシーバを経由して、中位通信装置２から取得する。
【０１３２】
強度検出装置１５の各検出用ポートに接続された少なくとも一つの物理ポート３１の光信号の強度が増加した（リンクアップが検出された）場合、接続制御装置１４は、光信号の強度の増加が検出された物理ポート３１に接続された中位通信装置２の通信ポート２２の番号を、測定装置１３の光トランシーバを経由して、中位通信装置２から取得してもよい。
【０１３３】
強度検出装置１５の各検出用ポートに接続された各物理ポート３１の光信号の強度の合計が減少した（リンクダウンが検出された）場合、接続制御装置１４は、光信号の強度の減少が検出された物理ポート３１に接続された中位通信装置２の通信ポート２２の接続情報に、エラー情報を含める。
【０１３４】
強度検出装置１５の各検出用ポートに接続された少なくとも一つの物理ポート３１の光信号の強度が減少した（リンクダウンが検出された）場合、接続制御装置１４は、光信号の強度の減少が検出された物理ポート３１に接続された中位通信装置２の通信ポート２２の接続情報に、エラー情報を含めてもよい。
【０１３５】
以上のように、第３実施形態の配線情報作成システム１０は、強度検出装置１５（インラインパワーメータ）を更に備える。強度検出装置１５は、上位ネットワーク１及び下位ネットワーク４の間における、光信号の強度の増加と光信号の強度の減少とのうちの少なくとも一方を検出する。接続制御装置１４は、光信号の強度の増加が検出された物理ポートに接続された中位通信装置の通信ポートの番号を取得する。
【０１３６】
これによって、第３実施形態の配線情報作成システム１０は、切替装置３の物理ポート３１と中位通信装置２の通信ポート２１又は通信ポート２２との物理的な配線の情報を、リアルタイムに作成することが可能である。
【０１３７】
以上、この発明の実施形態について図面を参照して詳述してきたが、具体的な構成はこの実施形態に限られるものではなく、この発明の要旨を逸脱しない範囲の設計等も含まれる。
【０１３８】
上記の各実施形態は、互いに組み合わされてもよい。上記の各実施形態と上記の変形例とは、互いに組み合わされてもよい。
【産業上の利用可能性】
【０１３９】
本発明は、光通信システムに適用可能である。
【符号の説明】
【０１４０】
１…上位ネットワーク、２…中位通信装置、３…切替装置、４…下位ネットワーク、５…切替制御装置、６…通信制御装置、７…ネットワーク管理装置、８…上位制御装置、９…端末装置、１０…配線情報作成システム、１１…上位通信装置、１２…通信回線、１３…測定装置、１４…接続制御装置、１５…強度検出装置、２１…通信ポート、２２…通信ポート、２３…設定ポート、３１…物理ポート、３２…制御ポート、４１…下位通信装置、４２…通信ポート、５１…インタフェース、５２…配線情報取得部、５３…切替装置配線情報記憶部、５４…配線可否判定部、５５…配線指示部、５６…応答受付部、５７…配線情報更新部、７１…割当管理部、７２…インタフェース、７３…情報作成部、７４…割当情報記憶部、７５…物理配線管理部、７６…インタフェース、７７…物理配線情報取得部、７８…物理配線情報更新部、７９…物理配線情報記憶部、１００…光通信ネットワーク、１１０…通信システム、１１１…通信ポート、１１２…通信ポート、１１３…設定ポート、１３１…強度検出部、１３２…光トランシーバ、１３３…光トランシーバ、１３４…光トランシーバ、１３５…インタフェース、４１１…通信ポート、４１２…通信ポート、４１３…設定ポート
【図１】
2020217300.tif 000003
【図２】
2020217300.tif 000004
【図３】
2020217300.tif 000005
【図４】
2020217300.tif 000006
【図５】
2020217300.tif 000007
【図６】
2020217300.tif 000008
【図７】
2020217300.tif 000009
【図８】
2020217300.tif 000010
【図９】
2020217300.tif 000011
【図１０】
2020217300.tif 000012
【図１１】
2020217300.tif 000013
【図１２】
2020217300.tif 000014
【図１３】
2020217300.tif 000015
【図１４】
2020217300.tif 000016
【図１５】
2020217300.tif 000017
【図１６】
2020217300.tif 000018
【図１７】
2020217300.tif 000019
【国際調査報告】
2020217300.tif 000020
2020217300.tif 000021
2020217300.tif 000022